(57)【要約】【課題】開口部の投影光を通す範囲（光透過領域）への接着剤の広がりを抑制することが可能なプロジェクタを提供する。【解決手段】このプロジェクタ１００は、画像Ｐを投影する投影光を透過するウインドウ１と、ウインドウ１を透過する投影光を通す開口部２ａが設けられ、ウインドウ１を接着剤９により接着保持する保持部材２とを備え、保持部材２は、ウインドウ１に向けて突出し、ウインドウ１と当接する隔壁部２２と、隔壁部２２に隣接するように配置され、接着剤９が塗布された塗布部２４とを含み、隔壁部２２は、塗布部２４側の領域と開口部２ａ側の領域との間を遮断するように形成されている。【選択図】図５
2017102179.tif 000002
【特許請求の範囲】
【請求項１】
画像を投影する投影光を透過する光学部品と、
前記光学部品を透過する投影光を通す開口部が設けられ、前記光学部品を接着剤により接着保持する保持部材とを備え、
前記保持部材は、前記光学部品に向けて突出し、前記光学部品と当接する隔壁部と、前記隔壁部に隣接するように配置され、前記接着剤が塗布された塗布部とを含み、
前記隔壁部は、前記塗布部側の領域と前記開口部側の領域との間を遮断するように形成されている、プロジェクタ。
【請求項２】
前記保持部材は、前記隔壁部よりも前記開口部側で、かつ、前記光学部品から離間した位置に設けられ、前記光学部品の面に対向する面を有する接着剤保持部をさらに含む、請求項１に記載のプロジェクタ。
【請求項３】
前記接着剤保持部は、前記隔壁部から前記開口部側に突出するとともに、前記隔壁部の前記開口部側に侵入した前記接着剤を保持できるように構成されている、請求項２に記載のプロジェクタ。
【請求項４】
前記隔壁部および前記接着剤保持部の少なくとも一方は、前記開口部を囲む環状に形成されている、請求項２または３に記載のプロジェクタ。
【請求項５】
前記接着剤保持部は、前記隔壁部から前記塗布部側とは逆側に突出するとともに、内縁部が環状に形成され、
前記開口部は、前記内縁部により構成されるとともに、前記投影光の進行方向から見て、前記投影光を通す範囲よりも大きい、請求項４に記載のプロジェクタ。
【請求項６】
前記保持部材は、前記接着剤に対する親和性が前記光学部品の前記接着剤に対する親和性よりも高くなるように構成されている、請求項２〜５のいずれか１項に記載のプロジェクタ。
【請求項７】
前記接着剤は、前記保持部材よりも前記光学部品に対する親和性が高い第１接着剤を含み、
前記接着剤保持部は、前記光学部品の背面側に配置され、
前記塗布部は、前記投影光の進行方向と交差する上面および下面を有し、前記光学部品の側端面の近傍まで延びる板状部をさらに含み、
前記光学部品は、前記第１接着剤により前記板状部の前記上面および前記下面を挟み込むように覆った状態で、前記保持部材に接着保持されている、請求項１〜５のいずれか１項に記載のプロジェクタ。
【請求項８】
前記接着剤は、前記保持部材および前記光学部品に対する親和性が略等しい第２接着剤をさらに含み、
前記塗布部は、前記第１接着剤が塗布される第１塗布部と、前記第１塗布部とは異なる位置で前記第２接着剤が塗布される第２塗布部とを含む、請求項７に記載のプロジェクタ。
【請求項９】
前記第１塗布部および前記第２塗布部は、それぞれ、前記開口部を挟み、互いに対向する位置に一対ずつ設けられている、請求項８に記載のプロジェクタ。
【請求項１０】
前記光学部品は、液晶パネル用の一対の基板を含み、
前記隔壁部は、前記一対の基板の境界面端部よりも前記塗布部側の前記基板の側端面に少なくとも当接するように構成されている、請求項１〜９のいずれか１項に記載のプロジェクタ。
【発明の詳細な説明】
【技術分野】
【０００１】
この発明は、プロジェクタに関し、特に、光学部品および光学部品を保持する保持部材を備えるプロジェクタに関する。
【背景技術】
【０００２】
従来、光学部品および光学部品を保持する保持部材を備える種々の装置が知られている（たとえば、特許文献１参照）。
【０００３】
上記特許文献１には、投影光を通す開口部が設けられた光学部品と、光学部品を接着剤により接着保持する保持部材とを備える撮像装置が開示されている。保持部材は、光学部品に向けて突出し、光学部品と当接する壁部と、壁部に隣接する接着剤の塗布部とを含んでいる。また、壁部は、光学部品の投影光を通す開口部と、塗布部との間に設けられている。なお、開口部側の領域と、塗布部側の領域とは、一部において連通している。
【０００４】
また、従来では、光学部品および光学部品を保持する保持部材を備えるプロジェクタも知られている。
【先行技術文献】
【特許文献】
【０００５】
【特許文献１】特開２００９−３０５８号公報
【発明の概要】
【発明が解決しようとする課題】
【０００６】
しかしながら、従来の光学部品および光学部品の保持部材を備えるプロジェクタにおいて、上記特許文献１の撮像装置のような壁部および塗布部を保持部材に設けると、開口部側の領域と塗布部側の領域との連通部分を介して開口部の投影光を通す範囲（光透過領域）にまで接着剤が広がってしまう場合があるという問題点があると考えられる。
【０００７】
この発明は、上記のような課題を解決するためになされたものであり、開口部の投影光を通す範囲（光透過領域）への接着剤の広がりを抑制することが可能なプロジェクタを提供することである。
【課題を解決するための手段】
【０００８】
上記目的を達成するために、この発明の一の局面によるプロジェクタは、画像を投影する投影光を透過する光学部品と、光学部品を透過する投影光を通す開口部が設けられ、光学部品を接着剤により接着保持する保持部材とを備え、保持部材は、光学部品に向けて突出し、光学部品と当接する隔壁部と、隔壁部に隣接するように配置され、接着剤が塗布された塗布部とを含み、隔壁部は、塗布部側の領域と開口部側の領域との間を遮断するように形成されている。
【０００９】
この発明の一の局面によるプロジェクタでは、上記のように、保持部材に、光学部品に向けて突出し、光学部品と当接する隔壁部と、隔壁部に隣接するように配置され、接着剤が塗布された塗布部とを設け、隔壁部を、塗布部側の領域と開口部側の領域との間を遮断するように形成する。これにより、隔壁部により塗布部側の領域と開口部側の領域との間が遮断されるので、塗布部側の領域と開口部側の領域とが一部において連通する場合と異なり、開口部の投影光を通す範囲（光透過領域）への接着剤の広がりを抑制することができる。その結果、接着剤の広がりに起因して光学部品の光透過性が低下するのを抑制することができる。特に、比較的粘性が高い接着剤の場合に、より確実に、開口部の投影光を通す範囲（光透過領域）への接着剤の広がりを抑制することができる。
【００１０】
上記一の局面によるプロジェクタにおいて、好ましくは、保持部材は、隔壁部よりも開口部側で、かつ、光学部品から離間した位置に設けられ、光学部品の面に対向する面を有する接着剤保持部をさらに含む。このように構成すれば、毛細管現象により隔壁部と光学部品との隙間から、接着剤が隔壁部を越えて開口部側に侵入したとしても、接着剤保持部の面により接着剤を保持することができる。その結果、開口部の投影光を通す範囲（光透過領域）への接着剤の広がりをより抑制することができる。特に、毛細管現象が生じやすい比較的粘性が低い接着剤を用いる場合でも、開口部の投影光を通す範囲（光透過領域）への接着剤の広がりを抑制することができる。
【００１１】
この場合、好ましくは、接着剤保持部は、隔壁部から開口部側に突出するとともに、隔壁部の開口部側に侵入した接着剤を保持できるように構成されている。このように構成すれば、接着剤保持部が隔壁部よりも開口部側に侵入した接着剤の広がりが規制されるので、開口部の投影光を通す範囲（光透過領域）への接着剤の広がりを一層抑制することができる。
【００１２】
上記保持部材が接着剤保持部を含む構成において、好ましくは、隔壁部および接着剤保持部の少なくとも一方は、開口部を囲む環状に形成されている。このように構成すれば、隔壁部が開口部を囲む環状に形成されると、開口部の周囲のいずれの位置であっても、隔壁部により開口部側への接着剤の侵入を抑制することができる。また、接着剤保持部が開口部を囲む環状に形成されると、開口部の周囲のいずれの位置であっても、接着剤保持部により接着剤を保持することができる。したがって、開口部の周囲のいずれの位置からも接着剤を塗布することが可能となり、接着作業の作業性を向上させることができる。
【００１３】
上記隔壁部および接着剤保持部の少なくとも一方が環状に形成される構成において、好ましくは、接着剤保持部は、隔壁部から塗布部側とは逆側に突出するとともに、内縁部が環状に形成され、開口部は、内縁部により構成されるとともに、投影光の進行方向から見て、投影光を通す範囲（光透過領域）よりも大きい。このように構成すれば、投影光の進行方向から見て、接着剤保持部の内縁部が投影光を通す範囲（光透過領域）よりも大きいので、接着剤保持部が接着剤を保持した状態で、接着剤が投影光を通す範囲（光透過領域）に侵入することを防止することができる。
【００１４】
上記保持部材が接着剤保持部を含む構成において、好ましくは、保持部材は、接着剤に対する親和性が光学部品の接着剤に対する親和性よりも高くなるように構成されている。このように構成すれば、接着剤は、光学部品よりも保持部材の表面において広がり易くなるので、相対的に接着剤が光学部品の表面に沿って広がりにくくなり、その結果、投影光を通す範囲（光透過領域）への接着剤の広がりを一層抑制することができる。
【００１５】
上記一の局面によるプロジェクタにおいて、好ましくは、接着剤は、保持部材よりも光学部品に対する親和性が高い第１接着剤を含み、接着剤保持部は、光学部品の背面側に配置され、塗布部は、投影光の進行方向と交差する上面および下面を有し、光学部品の側端面の近傍まで延びる板状部をさらに含み、光学部品は、第１接着剤により板状部の上面および下面を挟み込むように覆った状態で、保持部材に接着保持されている。このように構成すれば、保持部材よりも光学部品に対して高い親和性を有する第１接着剤により光学部品と保持部材とを接着するので、熱衝撃が発生した場合に、保持部材よりも第１接着剤から光学部品を剥離し難くすることができる。また、第１接着剤により、板状部の上面および下面を挟み込むように覆った状態で、光学部品が保持部材に接着保持されるので、熱衝撃などの影響により第１接着剤が保持部材から剥離したとしても、第１接着剤が光学部品と接触したままの状態で板状部の上面および下面を挟み込むことにより、第１接着剤の移動を規制することができる。したがって、第１接着剤に接着保持される光学部品の移動を規制することができる。
【００１６】
この場合、好ましくは、接着剤は、保持部材および光学部品に対する親和性が略等しい第２接着剤をさらに含み、塗布部は、第１接着剤が塗布される第１塗布部と、第１塗布部とは異なる位置で第２接着剤が塗布される第２塗布部とを含む。このように構成すれば、第１塗布部の第１接着剤が保持部材から剥離したとしても、第２塗布部の第２接着剤が光学部品および保持部材を接着保持している場合には、光学部品の保持部材に対する移動をより規制することができる。
【００１７】
上記保持部材が第１接着剤とは異なる位置で第２接着剤により光学部品を接着保持する構成において、好ましくは、第１塗布部および第２塗布部は、それぞれ、開口部を挟み、互いに対向する位置に一対ずつ設けられている。このように構成すれば、光学部品および保持部材に対して、第１接着剤および第２接着剤をバランスよく塗布することができるので、保持部材により光学部品を安定して接着保持することができる。
【００１８】
上記一の局面によるプロジェクタにおいて、好ましくは、光学部品は、液晶パネル用の一対の基板を含み、隔壁部は、一対の基板の境界面端部よりも塗布部側の基板の側端面に少なくとも当接するように構成されている。このように構成すれば、隔壁部が、一対の基板の境界面端部よりも塗布部側の基板の側端面に少なくとも当接するので、境界面端部から一対の基板間に接着剤が侵入するのを抑制することができる。
【発明の効果】
【００１９】
本発明によれば、上記のように、開口部の投影光を通す範囲（光透過領域）への接着剤の広がりを抑制することができる。
【図面の簡単な説明】
【００２０】
【図１】本発明の第１実施形態によるプロジェクタの使用状態を示した全体斜視図である。
【図２】本発明の第１実施形態によるプロジェクタのウインドウおよび保持部材を示した斜視図である。
【図３】本発明の第１実施形態によるプロジェクタのウインドウおよび保持部材を示した平面図である。
【図４】図２および図３の５００−５００線に沿った断面図である。
【図５】粘性が高い接着剤の塗布について説明するため図である。
【図６】粘性が低い接着剤の塗布について説明するため図である。
【図７】本発明の第２実施形態によるプロジェクタのウインドウおよび保持部材を示した斜視図である。
【図８】図７の６００−６００線に沿った断面図である。
【図９】図７の７００−７００線に沿った断面図である。
【図１０】本発明の第３実施形態によるプロジェクタの全体構成を示したブロック図である。
【図１１】本発明の第３実施形態によるプロジェクタの一対の基板および保持部材を示した斜視図である。
【図１２】図１１の８００−８００線に沿った断面図である。
【図１３】本発明の第１〜第３実施形態の変形例によるヘッドアップディスプレイ装置の使用状態を示した図である。
【発明を実施するための形態】
【００２１】
以下、本発明の実施形態を図面に基づいて説明する。
【００２２】
［第１実施形態］
図１〜図６を参照して、本発明の第１実施形態によるプロジェクタ１００の構成について説明する。
【００２３】
（プロジェクタの構成）
プロジェクタ１００は、図１に示すように、筐体部１００ａと、光透過部１００ｂとを備えている。プロジェクタ１００は、スクリーンＳに画像Ｐを投影するように構成されている。
【００２４】
筐体部１００ａは、投影光を発生させる光源部（図示せず）などを内側に配置するとともに、プロジェクタ１００の外観を形成している。光透過部１００ｂは、筺体部１００ａ内から投影光の出射部分（出口部分）としての機能を有している。また、光透過部１００ｂは、概ね、投影光の進行方向に直交する方向に延びる矩形状を有している。
【００２５】
ここで、以下では、投影光の進行方向をＡ方向とする。また、投影光の進行方向（Ａ方向）に直交する方向で、かつ、矩形状の光透過部１００ｂの短辺（または長辺）が延びる一方向をＢ方向とする。また、投影光の進行方向（Ａ方向）に直交する方向で、かつ、矩形状の光透過部１００ｂの長辺（または短辺）が延びる他方向をＣ方向（Ａ方向およびＢ方向に直交する方向）とする。また、Ａ方向のうち、プロジェクタ１００からスクリーンに向かう方向をＡ１方向、その逆方向をＡ２方向とする。
【００２６】
（光透過部の構成）
光透過部１００ｂは、図２〜図４に示すように、投影光を透過するウインドウ１と、ウインドウ１を接着剤９（図５参照）により接着保持する保持部材２とを備えている。なお、ウインドウ１は、特許請求の範囲の「光学部品」の一例である。
【００２７】
ウインドウ１は、投影光の進行方向（Ａ方向）を厚み方向とする矩形の平板形状を有している。ウインドウ１は、一例として、ガラス材料から形成されている。また、ウインドウ１は、接着剤９により保持部材２の所定箇所に接着保持されるように構成されている。
【００２８】
保持部材２は、投影光が内側を通過する矩形の貫通孔状の開口部２ａが設けられた矩形の枠状形状を有している。また、保持部材２には、開口部２ａの内側に、ウインドウ１を透過する投影光を通す光透過領域３（開口部２ａの投影光を通す範囲）が設けられている。保持部材２は、一例として、樹脂材料から形成されている。
【００２９】
保持部材２は、図３に示すように、平面視において（Ａ方向から見て）、Ｂ方向およびＣ方向における各中心線αおよびβに対して線対称となる形状を有している。また、保持部材２は、Ａ方向における開口部２ａを通る断面と、Ｂ方向における開口部２ａを通る断面とが同一形状となる。ただし、Ａ方向およびＢ方向における開口部２ａの幅が異なるため、上記線対称となる一対の構成の離間距離は、異なっている。なお、図４では、線対称となる構成の一方（Ｂ１方向側の構成）のみに符号を付し、他方（Ｂ２方向側の構成）の符号を省略している。
【００３０】
保持部材２は、接着剤９（図５参照）に対する親和性がウインドウ１の接着剤９に対する親和性よりも高くなるように構成されている。したがって、保持部材２とウインドウ１との間に接着剤９が塗布された場合には、保持部材２は、接着剤９をウインドウ１側よりも多く保持することにより、ウインドウ１表面における接着剤９の広がりを抑制するように構成されている。
【００３１】
保持部材２は、側部２０と、底部２１と、隔壁部２２と、接着剤保持部２３と、接着剤９が塗布された塗布部２４とを含んでいる。なお、図３では、説明の便宜上、隔壁部２２にハッチングを付して図示している。図４では、底部２１を一点鎖線で囲うことにより示している。
【００３２】
側部２０は、図３に示すように、一対の平板部２０ａと、一対の平板部２０ｂとを有している。一対の平板部２０ａは、Ｃ方向（長辺方向）に延びる矩形の平板形状を有し、互いに対向して配置されている。また、一対の平板部２０ｂは、Ｂ方向（短辺方向）に延びる平板形状を有し、互いに対向して配置されている。側部２０は、一対の平板部２０ａおよび一対の平板部２０ｂにより、環状に形成されている。また、側部２０のＡ２方向側の端部は、底部２１に接続されている。
【００３３】
底部２１は、Ａ方向およびＢ方向に延びる平板形状を有している。また、図４に示すように、底部２１の光透過領域３側（内側）の端部は、２股に分かれる構成である隔壁部２２および接着剤保持部２３に接続されている。
【００３４】
隔壁部２２は、底部２１の光透過領域３側（内側）の端部から、ウインドウ１に向けてＡ１方向に突出している。また、隔壁部２２は、光透過領域３（開口部２ａ）を囲む環状（図３参照）に形成されている。また、隔壁部２２は、Ａ１方向側の端部においてウインドウ１に当接している。また、隔壁部２２の光透過領域３側（内側）とは反対側（側部２０側）には、塗布部２４が配置されている。したがって、隔壁部２２は、塗布部２４側の領域と光透過領域３（開口部２ａ側の領域）との間を遮断するように構成されている。なお、塗布部２４とは、隔壁部２２の光透過領域３側（内側）とは反対側で、接着剤９（図５参照）が塗布される部分である。塗布部２４の詳細については後述する。
【００３５】
接着剤保持部２３は、ウインドウ１の背面（Ａ２方向側の面）側に配置されている。また、接着剤保持部２３は、隔壁部２２よりも光透過領域３側（開口部２ａ側）で、かつ、ウインドウ１からＡ方向に離間した位置に設けられている。また、接着剤保持部２３は、隔壁部２２から光透過領域３側（塗布部２４側とは逆側）に突出している。また、接着剤保持部２３は、光透過領域３を囲む環状（図３参照）に形成されている。また、接着剤保持部２３は、隔壁部２２よりも開口部２ａ側で、かつ、ウインドウ１から離間した位置に配置され、ウインドウ１の面に対向する面２３ａを有している。
【００３６】
接着剤保持部２３は、接着剤９（図６参照）が隔壁部２２の光透過領域３側（開口部２ａ側）に侵入した場合に、接着剤９を保持するように構成されている。詳細には、接着剤保持部２３は、隔壁部２２の光透過領域３側（開口部２ａ側）に侵入した接着剤９を表面張力により保持することによって、ウインドウ１の表面における接着剤９の広がりを規制するように構成されている。
【００３７】
接着剤保持部２３は、内縁部（内側の端部）が環状に形成された開口部２ａを構成している。この開口部２ａは、投影光の進行方向（Ａ方向）から見て、光透過領域３（投影光を通す範囲）よりも大きい。
【００３８】
塗布部２４は、隔壁部２２に隣接するように配置されている。また、塗布部２４は、側部２０の隔壁部２２側の面２０ｃと、底部２１の側部２０側の面２１ａと、隔壁部２２の側部２０側の面２２ａとの３つの面から構成されている。
【００３９】
（接着剤の塗布）
次に、図５および図６を参照して、接着剤９の塗布について説明する。説明は、粘性が比較的高い接着剤９を使用する場合と、粘性が比較的低い接着剤９を使用する場合とについて行う。
【００４０】
まず、図５を参照して、比較的粘性の高い接着剤９を使用する場合について説明する。接着剤９は、ウインドウ１（の側端面１ａ）と、側部２０の間（黒塗り矢印部分）から塗布部２４に注入される。そして、注入された接着剤９は、ウインドウ１の表面と側部２０の面２０ｃとを伝い、底部２１の面２１ａおよび隔壁部２２の面２２ａに広がる。これにより、塗布部２４とウインドウ１との間が、接着剤９により満たされる。また、ウインドウ１は、側端面１ａと、Ａ２方向側の面との２面に接着剤９が塗布されて保持部材２により接着保持される。なお、接着剤９は、環状（図３参照）の隔壁部２２に沿って、概ね、環状に塗布される。
【００４１】
次に、図６を参照して、比較的粘性の低い接着剤９を使用する場合について説明する。接着剤９の注入により塗布部２４が接着剤９により満たされるまでは、同様である。そして、塗布部２４とウインドウ１との間が接着剤９により満たされると、毛細管現象により、接着剤９の一部がわずかに隔壁部２２とウインドウ１との隙間に侵入する。また、接着剤９は、隔壁部２２を越えて光透過領域３側まで侵入する。さらに、接着剤９は、ウインドウ１と接着剤保持部２３との間に徐々に充填されていき、接着剤保持部２３によって保持される。すなわち、接着剤保持部２３は、接着剤９の光透過領域３への広がりを止める。
【００４２】
［第１実施形態の効果］
第１実施形態では、以下のような効果を得ることができる。
【００４３】
第１実施形態では、上記のように、保持部材２に、ウインドウ１に向けて突出し、ウインドウ１と当接する隔壁部２２と、隔壁部２２に隣接するように配置され、接着剤９が塗布された塗布部２４とを設け、隔壁部２２を、塗布部２４側の領域と開口部２ａ側の領域との間を遮断するように形成する。これにより、隔壁部２２により塗布部２４側の領域と光透過領域３との間が遮断されるので、塗布部２４側の領域と開口部２ａ側の領域とが一部において連通する場合と異なり、開口部２ａの投影光を通す範囲（光透過領域３）への接着剤９の広がりを抑制することができる。その結果、接着剤９の広がりに起因してウインドウ１の光透過性が低下するのを抑制することができる。特に、比較的粘性が高い接着剤９の場合に、より確実に、開口部２ａの投影光を通す範囲（光透過領域３）への接着剤９の広がりを抑制することができる。
【００４４】
また、第１実施形態では、上記のように、保持部材２に、隔壁部２２よりも開口部２ａ側で、かつ、ウインドウ１から離間した位置に配置され、ウインドウ１の面に対向する面２３ａを有する接着剤保持部２３を設ける。これにより、毛細管現象により隔壁部２２とウインドウ１との隙間から、接着剤９が隔壁部２２を越えて開口部２ａ側に侵入したとしても、接着剤保持部２３の面２３ａにより接着剤９を保持することができる。その結果、開口部２ａの投影光を通す範囲（光透過領域３）への接着剤９の広がりをより抑制することができる。特に、毛細管現象が生じやすい比較的粘性が低い接着剤９を用いる場合でも、開口部２ａの投影光を通す範囲（光透過領域３）への接着剤９の広がりを抑制することができる。
【００４５】
また、第１実施形態では、上記のように、接着剤保持部２３を、隔壁部２２から開口部２ａ側に突出するとともに、隔壁部２２の開口部２ａ側に侵入した接着剤９を保持できるように構成する。これにより、接着剤保持部２３が隔壁部２２よりも開口部２ａ側に侵入した接着剤９の広がりが規制されるので、開口部２ａの投影光を通す範囲（光透過領域３）への接着剤９の広がりを一層抑制することができる。
【００４６】
また、第１実施形態では、上記のように、隔壁部２２および接着剤保持部２３を、開口部２ａを囲む環状に形成する。これにより、隔壁部２２が開口部２ａを囲む環状に形成されると、開口部２ａの周囲のいずれの位置であっても、隔壁部２２により開口部２ａ側への接着剤９の侵入を抑制することができる。また、接着剤保持部２３が開口部２ａを囲む環状に形成されると、開口部２ａの周囲のいずれの位置であっても、接着剤保持部２３により接着剤９を保持することができる。したがって、開口部２ａの周囲のいずれの位置からも接着剤９を塗布することが可能となり、接着作業の作業性を向上させることができる。
【００４７】
また、第１実施形態では、上記のように、接着剤保持部２３に、隔壁部２２から塗布部２４側とは逆側に突出するとともに、内縁部が環状に形成され、開口部２ａを、上記内縁部により構成するとともに、投影光の進行方向から見て、開口部２ａの投影光を通す範囲（光透過領域３）よりも大きくする。これにより、投影光の進行方向から見て、接着剤保持部２３の内縁部（開口部２ａ）が光透過領域３よりも大きいので、接着剤保持部２３が接着剤９を保持した状態で、接着剤９が開口部２ａの投影光を通す範囲（光透過領域３）に侵入することを防止することができる。
【００４８】
また、第１実施形態では、上記のように、保持部材２の接着剤９に対する親和性がウインドウ１の接着剤９に対する親和性よりも高くなるように保持部材２を構成する。これにより、接着剤９は、ウインドウ１よりも保持部材２の表面において広がり易くなるので、相対的に接着剤９がウインドウ１の表面に沿って広がりにくくなり、その結果、光透過領域３への接着剤９の広がりを一層抑制することができる。
【００４９】
［第２実施形態］
次に、図７〜図９を参照して、第２実施形態について説明する。この第２実施形態では、上記第１実施形態の構成に加え、保持部材２０２がウインドウ１の側端面１ａ近傍まで延びる板状部２２４ａをさらに含む例について説明する。なお、上記第１実施形態と同様の構成は、第１実施形態と同じ符号を付して図示するとともに説明を省略する。また、図７の断面図である図８および図９は、説明の便宜上、保持部材２０２によりウインドウ１を接着保持した状態の断面を示している。
【００５０】
（光透過部の構成）
図７に示すように、第２実施形態の光透過部２００ｂでは、保持部材２０２は、第１接着剤２０９ａ（図８参照）が塗布される一対の第１塗布部２２４と、第２接着剤２０９ｂ（図９参照）が塗布される一対の第２塗布部２２５とを備えている。すなわち、保持部材２０２は、第１接着剤２０９ａとは異なる位置で、第２接着剤２０９ｂによりウインドウ１を接着保持するように構成されている。
【００５１】
なお、第１接着剤２０９ａとは、保持部材２０２よりもウインドウ１に対する親和性が高い接着剤である。また、第２接着剤２０９ｂとは、保持部材２０２およびウインドウ１に対する親和性が略等しい接着剤である。
【００５２】
一対の第１塗布部２２４は、それぞれ、ウインドウ１のＣ方向に延びる端辺の中央とＢ方向に対向する位置に設けられている。また、第１塗布部２２４は、図８に示すように、保持部材２０２のＡ１方向側の一方面２０２ｂと、Ａ２方向側の他方面２０２ｃとから、それぞれ、窪んだ凹形状部２２６ａおよび２２６ｂを有している。また、凹形状部２２６ａと凹形状部２２６ｂとは、ウインドウ１側において、Ａ方向に接続されている（連通している）。また、第１塗布部２２４は、凹形状部２２６ａと凹形状部２２６ｂとに挟まれる部分に板状部２２４ａを含んでいる。
【００５３】
板状部２２４ａは、投影光の進行方向（Ａ方向）に交差する上面２２４ｂおよび下面２２４ｃを有し、ウインドウ１の近傍まで延びている。板状部２２４ａの先端（光透過領域３側の端部）と、ウインドウ１の側端面１ａとは、Ｂ方向に離間しており、互いに非接触である。なお、ウインドウ１は、第１接着剤２０９ａにより板状部２２４ａの上面２２４ｂおよび下面２２４ｃを挟み込むように覆った状態で、保持部材２０２に接着保持されている。
【００５４】
なお、第１接着剤２０９ａは、上記の通り、保持部材２０２よりもウインドウ１に対する親和性が高いため、熱衝撃などの影響を受けた場合に、まず、保持部材２０２から剥離する性質を有している。この際、第１接着剤２０９ａがＡ方向において板状部２２４ａを挟み込むように塗布されているため、Ａ方向における第１接着剤２０９ａの板状部２２４ａに対する位置は、略変わることはない。すなわち、第１接着剤２０９ａが保持部材２０２から剥離したとしても、第１接着剤２０９ａが接着されているウインドウ１の板状部２２４ａに対するＡ方向の位置は、略変わることはない。
【００５５】
一対の第２塗布部２２５は、図７に示すように、それぞれ、ウインドウ１のＢ方向に延びる端辺の中央に対向する位置に設けられている。すなわち、第１塗布部２２４および第２塗布部２２５は、それぞれ、光透過領域３を挟み、互いに対向する位置に一対ずつ設けられている。
【００５６】
第２塗布部２２５は、図９に示すように、保持部材２０２のＡ１方向側の一方面２０２ｂから、窪んだ凹形状部２２６ｃを有している。
【００５７】
［第２実施形態の効果］
第２実施形態では、以下のような効果を得ることができる。
【００５８】
第２実施形態では、上記第１実施形態と同様に、保持部材２０２に、ウインドウ１に向けて突出し、ウインドウ１と当接する隔壁部２２と、隔壁部２２に隣接するように配置され、第１接着剤２０９ａが塗布された第１塗布部２２４、および、第２接着剤２０９ｂが塗布された第２塗布部２２５とを設け、隔壁部２２を、塗布部２４側の領域と開口部２ａ側の領域との間を遮断するように形成する。これにより、開口部２ａの投影光を通す範囲（光透過領域３）への第１接着剤２０９ａおよび第２接着剤２０９ｂの広がりを抑制することができる。
【００５９】
また、第２実施形態では、上記のように、保持部材２０２よりもウインドウ１に対する親和性が高い第１接着剤２０９ａを用い、接着剤保持部２３を、ウインドウ１の背面側に配置し、塗布部２４に、投影光の進行方向と交差する上面２２４ｂおよび下面２２４ｃを有し、ウインドウ１の側端面１ａの近傍まで延びる板状部２２４ａを設け、ウインドウ１を、第１接着剤２０９ａにより板状部２２４ａの上面２２４ｂおよび下面２２４ｃを挟み込むように覆った状態で、保持部材２０２に接着保持する。これにより、保持部材２０２よりもウインドウ１に対して高い親和性を有する第１接着剤２０９ａによりウインドウ１と保持部材２０２とを接着するので、熱衝撃が発生した場合に、保持部材２０２よりも第１接着剤２０９ａからウインドウ１を剥離し難くすることができる。また、第１接着剤２０９ａにより、板状部２２４ａの上面２２４ｂおよび下面２２４ｃを挟み込むように覆った状態で、ウインドウ１が保持部材２０２に接着保持されるので、熱衝撃などの影響により第１接着剤２０９ａが保持部材２０２から剥離したとしても、第１接着剤２０９ａがウインドウ１と接触したままの状態で板状部２２４ａの上面２２４ｂおよび下面２２４ｃを挟み込むことにより、第１接着剤２０９ａの移動を規制することができる。したがって、第１接着剤２０９ａに接着保持されるウインドウ１の移動を規制することができる。
【００６０】
また、第２実施形態では、上記のように、保持部材２０２およびウインドウ１に対する親和性が略等しい第２接着剤２０９ｂを用い、塗布部２４に、第１接着剤２０９ａが塗布される第１塗布部２２４と、第１塗布部２２４とは異なる位置で第２接着剤２０９ｂが塗布される第２塗布部２２５とを設ける。これにより、第１塗布部２２４の第１接着剤２０９ａが保持部材２０２から剥離したとしても、第２塗布部２２５の第２接着剤２０９ｂがウインドウ１および保持部材２０２を接着保持している場合には、ウインドウ１の保持部材２０２に対する移動をより規制することができる。
【００６１】
また、第２実施形態では、上記のように、第１塗布部２２４および第２塗布部２２５を、それぞれ、開口部２ａを挟み、互いに対向する位置に一対ずつ設ける。これにより、ウインドウ１および保持部材２０２に対して、第１接着剤２０９ａおよび第２接着剤２０９ｂをバランスよく塗布することができるので、保持部材２０２によりウインドウ１を安定して接着保持することができる。
【００６２】
［第３実施形態］
次に、図１０〜図１２を参照して、第３実施形態について説明する。この第３実施形態では、投影光を透過するウインドウ１を保持部材２により保持した上記第１実施形態と異なり、投影光を透過する液晶パネル用の一対の基板３０１を保持部材３０２により保持する例について説明する。なお、上記第１実施形態と同様の構成は、第１実施形態と同じ符号を付して図示するとともに説明を省略する。なお、基板３０１は、特許請求の範囲の「光学部品」の一例である。また、図１１の断面図である図１２は、説明の便宜上、保持部材３０２により一対の基板３０１を接着保持した状態の断面を示している。
【００６３】
（プロジェクタの構成）
図１０に示すように、第３実施形態のプロジェクタ３００は、光透過部３００ｂと、投影光を発生させる光源ユニット３００ｃと、投影光を所定方向に走査してスクリーンＳに画像Ｐを投影する走査ユニット３００ｄとを、筺体部１００ａ内に備えている。光透過部３００ｂは、光源ユニット３００ｃおよび走査ユニット３００ｄの間に配置されている。
【００６４】
光透過部３００ｂは、図１１に示すように、投影光を透過する一対の基板３０１を含む液晶パネル３１０と、液晶パネル３１０を保持する保持部材３０２とを備えている。
【００６５】
保持部材３０２は、塗布部３２４と、隔壁部３２２と、接着剤保持部３２３とを含んでいる。
【００６６】
塗布部３２４は、図１２に示すように、Ａ１方向側の一方面３０２ｂに、接着剤９を塗布（注入）する一対の孔状に形成されている。この塗布部３２４は、液晶パネル３１０（基板３０１）の側端面１ａに沿ってＡ方向に延びている。
【００６７】
隔壁部３２２は、Ａ方向に交差する方向に延びている。また、隔壁部３２２は、一対の基板３０１の境界面端部３０１ｂを含む基板３０１の側端面１ａに当接するように構成されている。具体的には、隔壁部３２２は、Ａ方向において、一対の基板３０１の境界面端部３０１ｂを含む所定の範囲に配置されており、一対の基板３０１のＣ方向の両端部にそれぞれ直接当接するように構成されている。すなわち、隔壁部３２２は、一対の基板３０１のそれぞれに対して当接している。また、塗布部３２４は、隔壁部３２２と一対の基板３０１との当接部分の外側に設けられている。
【００６８】
接着剤保持部３２３は、隔壁部３２２からＡ２方向に突出している。また、接着剤保持部３２３は、内側（光透過領域３側）に折れ曲がり、液晶パネル３１０のＡ２方向側の面に当接している。また、接着剤保持部３２３は、隔壁部３２２よりも開口部２ａ側で、かつ、基板３０１から離間した位置に配置され、基板３０１の面に対向する面３２３ａを有している。
【００６９】
［第３実施形態の効果］
第３実施形態では、以下のような効果を得ることができる。
【００７０】
第３実施形態では、上記第１実施形態と同様に、保持部材３０２に、液晶パネル３１０用の一対の基板３０１に向けて突出し、一対の基板３０１と当接する隔壁部３２２と、隔壁部３２２に隣接するように配置され、接着剤９が塗布された塗布部３２４とを設け、隔壁部３２２を、塗布部３２４側の領域と開口部２ａ側の領域との間を遮断するように形成する。これにより、開口部２ａの投影光を通す範囲（光透過領域３）への接着剤９の広がりを抑制することができる。
【００７１】
また、第３実施形態では、上記のように、隔壁部３２２を、液晶パネル３１０用の一対の基板３０１の境界面端部３０１ｂよりも塗布部３２４側の基板３０１の側端面１ａに当接するように構成する。これにより、隔壁部３２２が、一対の基板３０１の境界面端部３０１ｂよりも塗布部３２４側の基板３０１の側端面１ａに当接するので、境界面端部３０１ｂから一対の基板３０１間に接着剤９が侵入するのを抑制することができる。
【００７２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７３】
たとえば、上記第１〜３実施形態では、本発明の光学部品および保持部材をプロジェクタに設けた例を示したが、本発明はこれに限られない。本発明では、図１３に示す変形例のように、自動車４９０に搭載されるヘッドアップディスプレイ装置４００に上記第１実施形態のプロジェクタ１００（図１参照）の光透過部１００ｂを設けてもよいし、上記第２実施形態のプロジェクタの光透過部２００ｂを設けてもよし、上記第３実施形態のプロジェクタ３００（図１０参照）の光透過部３００ｂを設けてもよい。このヘッドアップディスプレイ装置４００では、ユーザの視線方向に配置されたフロントガラス（表示板）４９１に画像が投影されるように構成されている。また、ヘッドマウントディスプレイ装置などに本発明のプロジェクタの構成を適用してもよい。
【００７４】
また、上記第１〜第３実施形態では、本発明の光学部品の一例としてウインドウまたは一対の基板（液晶パネル）を用いた例を示したが、本発明はこれに限られない。本発明では、ウインドウまたは一対の基板（液晶パネル）以外の光学部品を用いてもよい。たとえば、本発明の光学部品として集光レンズを用いてもよい。
【００７５】
また、上記第２実施形態では、第１接着剤と第２接着剤との２種類の接着剤を用いた例を示したが、本発明はこれに限られない。本発明では、第１接着剤のみを用いてもよい。
【００７６】
また、上記第１〜第３実施形態では、保持部材が接着剤保持部を有する例を示したが、本発明はこれに限られない。本発明では、保持部材が接着剤保持部を有していなくてもよい。
【００７７】
また、上記第１および第２実施形態では、隔壁部を環状に形成した例を示したが、本発明はこれに限られない。本発明では、隔壁部を環状に形成しなくてもよい。
【００７８】
また、上記第１および第２実施形態では、接着剤保持部を環状に形成した例を示したが、本発明はこれに限られない。本発明では、接着剤保持部を環状に形成しなくてもよい。
【符号の説明】
【００７９】
１  ウインドウ（光学部品）
１ａ  側端面
２、２０２、３０２  保持部材
２ａ  開口部
９  接着剤
２２、３２２  隔壁部
２３、３２３  接着剤保持部
２３ａ、３２３ａ  面
２４、３２４  塗布部
１００、３００  プロジェクタ
２２４  第１塗布部
２２４ａ  板状部
２２４ｂ  上面
２２４ｃ  下面
２２５  第２塗布部
２０９ａ  第１接着剤
２０９ｂ  第２接着剤
３０１  基板（光学部品）
３０１ｂ  境界面端部
３１０  液晶パネル
【図１】
2017102179.tif 000003
【図２】
2017102179.tif 000004
【図３】
2017102179.tif 000005
【図４】
2017102179.tif 000006
【図５】
2017102179.tif 000007
【図６】
2017102179.tif 000008
【図７】
2017102179.tif 000009
【図８】
2017102179.tif 000010
【図９】
2017102179.tif 000011
【図１０】
2017102179.tif 000012
【図１１】
2017102179.tif 000013
【図１２】
2017102179.tif 000014
【図１３】
2017102179.tif 000015